(57)【要約】【課題】広角端の画角の確保や小型化に有利な負先行のズームレンズであって、変倍比や明るさの確保に有利なズームレンズを提供する。【解決手段】物体側から順に、負の屈折力を有する第１レンズ群、正の屈折力を有する第２レンズ群、正の屈折力を有する第３レンズ群、負の屈折力を有する第４レンズ群からなり、広角端から望遠端への変倍の際に、第１レンズ群と第２レンズ群との間の間隔が小さくなるように第２レンズ群が移動し、且つ、各レンズ群の間の間隔が変化し、第１レンズ群は、物体側より順に、少なくとも１面に非球面を有する１つの負レンズ成分と、１つの正レンズ成分と、からなり、第４レンズ群は、物体側面が凹面である１つの負レンズ成分からなり、所定の条件式（１）を満足する。    −４＜（Ｒ4a＋Ｒ4b）／（Ｒ4a−Ｒ4b）＜−０．５  ・・・（１）【選択図】図１
2010145695.tif 000002
【特許請求の範囲】
【請求項１】
物体側から順に、
負の屈折力を有する第１レンズ群、
正の屈折力を有する第２レンズ群、
正の屈折力を有する第３レンズ群、
負の屈折力を有する第４レンズ群、
からなり、
広角端から望遠端への変倍の際に、
前記第１レンズ群と前記第２レンズ群との間の間隔が小さくなるように前記第２レンズ群が移動し、且つ、各レンズ群の間の間隔が変化し、
前記第１レンズ群は、物体側より順に、少なくとも１面に非球面を有する１つの負レンズ成分と、１つの正レンズ成分と、からなり、
前記第４レンズ群は、物体側面が凹面である１つの負レンズ成分からなり、
以下の条件式（１）を満足することを特徴とするズームレンズ。
−４＜（Ｒ4a＋Ｒ4b）／（Ｒ4a−Ｒ4b）＜−０．５  ・・・（１）
但し、
Ｒ4aは、前記第４レンズ群中の前記負レンズ成分の物体側面の近軸曲率半径、
Ｒ4bは、前記第４レンズ群中の前記負レンズ成分の像側面の近軸曲率半径、
である。
【請求項２】
物体側から順に、
負の屈折力を有する第１レンズ群、
正の屈折力を有する第２レンズ群、
正の屈折力を有する第３レンズ群、
負の屈折力を有する第４レンズ群、
からなり、
各レンズ群の間の間隔を変化させることにより広角端から望遠端への変倍を行い、
第１レンズ群は、物体側より順に、少なくとも１面に非球面を有する１つの負レンズ成分、１つの正レンズ成分からなり、
第４レンズ群は、１つの負レンズ成分からなり、
以下の条件式（１’）、（２）を満足することを特徴とするズームレンズ。
−１５＜（Ｒ4a＋Ｒ4b）／（Ｒ4a−Ｒ4b）＜−０．５  ・・・（１’）
０．５＜ＤT／ｆt＜２  ・・・（２）
ただし、
Ｒ4aは、前記第４レンズ群中の前記負レンズ成分の物体側面の近軸曲率半径、
Ｒ4bは、前記第４レンズ群中の前記負レンズ成分の像側面の近軸曲率半径、
ＤTは、望遠端におけるズームレンズ中で最も物体側のレンズの物体側面から結像面までの光軸上の距離、
ｆtは望遠端におけるズームレンズ全系の焦点距離、
である。
【請求項３】
前記第１レンズ群中の負レンズ成分は両凹形状であり、且つ、前記両凹形状の負レンズ成分は物体側面の近軸曲率半径絶対値よりも像側面の近軸曲率半径絶対値の方が小さく、前記第１レンズ群中の前記正レンズ成分は物体側面が凸面であるメニスカス形状であることを特徴とする請求項１または請求項２に記載のズームレンズ。
【請求項４】
前記第４レンズ群中の前記負レンズ成分は非球面を有することを特徴とする請求項１から請求項３のいずれか１項に記載のズームレンズ。
【請求項５】
前記第４レンズ群中の前記負レンズ成分が単レンズであることを特徴とする請求項１から請求項４のいずれか１項に記載のズームレンズ。
【請求項６】
以下の条件式（３）を満足することを特徴とする請求項１から請求項５のいずれか１項に記載のズームレンズ。
０＜（Ｒ1a＋Ｒ1b）／（Ｒ1a−Ｒ1ｂ）＜１  ・・・（３）
但し、
Ｒ1aは、前記第１レンズ群中の前記負レンズ成分の物体側面の近軸曲率半径、
Ｒ1bは、前記第１レンズ群中の前記負レンズ成分の像側面の近軸曲率半径、
である。
【請求項７】
以下の条件式（４）、（５）を満足することを特徴とする請求項１から請求項６のいずれか１項に記載のズームレンズ。
１．８１＜Ｎ1＜２．１５  ・・・（４）
１．９＜Ｎ2＜２．３５  ・・・（５）
ただし、
Ｎ1は、前記第１レンズ群中の前記負レンズ成分中のいずれかの負レンズのｄ−ｌｉｎｅでの屈折率、
Ｎ2は、前記第１レンズ群中の前記正レンズ成分中のいずれかの正レンズのｄ−ｌｉｎｅでの屈折率、
である。
【請求項８】
前記第３レンズ群が広角端から望遠端への変倍の際に移動し、前記第３レンズ群を光軸方向に移動させてフォーカシングを行うことを特徴とする請求項１から請求項７のいずれか１項に記載のズームレンズ。
【請求項９】
前記第１レンズ群中の前記負レンズ成分と前記正レンズ成分がそれぞれ１枚のガラス単レンズであることを特徴とする請求項１から請求項８のいずれか１項に記載のズームレンズ。
【請求項１０】
前記第２レンズ群の像側直後に配置された明るさ絞りを有することを特徴とする請求項１から請求項９のいずれか１項に記載のズームレンズ。
【請求項１１】
前記第１レンズ群中の最も像側の屈折面が像側に凹面をむけた形状であり、前記第２レンズ群中の最も物体側の屈折面が物体側に凸面をむけた形状であることを特徴とする請求項１０に記載のズームレンズ。
【請求項１２】
以下の条件式（６）を満足することを特徴とする請求項１から請求項１１のいずれか１項に記載のズームレンズ。
３．６＜ｆt／ｆw＜１０  ・・・（６）
ただし、
ｆwは、広角端でのズームレンズ全系の焦点距離、
ｆtは、望遠端でのズームレンズ全系の焦点距離、
である。
【請求項１３】
請求項１から請求項１２のいずれか１項に記載のズームレンズと、
前記ズームレンズの像側に配置され、且つ前記ズームレンズによる光学像を電気信号に変換する撮像素子と、
を有することを特徴とする撮像装置。
【請求項１４】
前記ズームレンズによるディストーションを含んだ電気信号を、画像処理によりディストーションを補正した画像信号に変換する画像変換部を有することを特徴とする請求項１３に記載の撮像装置。
【請求項１５】
前記ズームレンズによる倍率色収差を含んだ電気信号を、画像処理により倍率色収差を補正した画像信号に変換する画像変換部を有することを特徴とする請求項１３又は請求項１４に記載の撮像装置。
【発明の詳細な説明】
【技術分野】
【０００１】
本発明は、ズームレンズ及びそれを備えた撮像装置に関するものである。さらには、ズームレンズと撮像素子を備えたデジタルカメラやビデオカメラ等の撮像装置に関するものである。
【背景技術】
【０００２】
近年では、銀塩フィルムカメラに代わり、ＣＣＤやＣＭＯＳのような固体撮像素子を用いて被写体を撮影するようにしたデジタルカメラが主流となっており、業務用高機能タイプからコンパクトな普及タイプまで幅広いカテゴリーで使われるようになってきている。
【０００３】
特に普及タイプのデジタルカメラは、小型な商品、特に服やカバンのポケット等への収納性がよく持ち運びが便利な、厚み方向のサイズが薄型であるタイプのデジタルカメラが好まれるようになっている。
【０００４】
また、撮影レンズの変倍比は３倍程度が一般的であったが、ユーザーの幅広いニーズを満足させるため、３倍以上の変倍比を持ち、かつ広い画角で撮影できるカメラが求められている。
【０００５】
このようなニーズに対応した撮影レンズは、カメラの携帯性を損なわないようなサイズにする必要がある。
【０００６】
カメラの薄型化の一手段として、撮影状態では鏡筒をカメラボディ内からせり出し、携帯時にはカメラボディ内に収納する、いわゆる沈胴式鏡筒が一般的になっている。
【０００７】
一般的に小型化を達成できるズームレンズのタイプとしては、負の屈折力のレンズ群が最も物体側のレンズ群となる負先行タイプのズームタイプが知られている。中でも、物体側から像側へと順に、負の屈折力の第１レンズ群と、正の屈折力の第２レンズ群と、正の屈折力の第３レンズ群とが配置された３群構成のズームレンズが一般的に用いられている。
【０００８】
負先行タイプのズームレンズは、全体としてレトロフォーカスタイプの屈折力配置となっているため、正屈折力のレンズ群が先行するタイプのズームレンズに比べ広画角化に適している。
【０００９】
従来の負先行タイプのズームレンズとしては、特許文献１、特許文献２、特許文献３において、負先行のズームレンズで４倍程度以上の変倍比を得るために、物体側から像側へ順に、負の屈折力の第１レンズ群と、正の屈折力の第２レンズ群と、正の屈折力の第３レンズ群、負の屈折力の第４レンズ群を配置した４群ズームレンズが開示されている。
【００１０】
【特許文献１】特開２００４−３１８１０７号公報
【特許文献２】特開２００４−３１８１０８号公報
【特許文献３】特開２００７−１５６３８５号公報
【発明の開示】
【発明が解決しようとする課題】
【００１１】
しかしながら、負−正−正の屈折力配置の３群ズームレンズの場合は、変倍比を確保しようとすると第２レンズ群での変倍作用の確保のため屈折力も大きくなりやすい。その際に、射出瞳を像面から遠くし、撮像素子への入射光束のテレセントリック性を確保するためには、第３レンズ群の正の屈折力を強くできず、第３レンズ群による変倍もしくはフォーカシングの際の像面感度を大きくしにくくなる。
【００１２】
特許文献１、特許文献２に開示されたズームレンズは望遠端での全長が大きく、レンズ沈胴時の小型化に不利である。また、特許文献３は望遠端のＦナンバーが７程度と大きい。さらに、特許文献１、２、３のズームレンズはいずれも広角端での半画角が３５°以下である。
【００１３】
本発明は、上記に鑑みてなされたものであって、広角端の画角の確保や小型化に有利な負先行のズームレンズであって、変倍比や明るさの確保に有利なズームレンズの提供を目的とする。
更には、そのようなズームレンズを備えた撮像装置の提供を目的とする。
【課題を解決するための手段】
【００１４】
上記課題を解決するため、本発明の第１の側面のズームレンズは、物体側から順に、負の屈折力を有する第１レンズ群、正の屈折力を有する第２レンズ群、正の屈折力を有する第３レンズ群、負の屈折力を有する第４レンズ群からなり、広角端から望遠端への変倍の際に、第１レンズ群と第２レンズ群との間の間隔が小さくなるように第２レンズ群が移動し、且つ、各レンズ群の間の間隔が変化し、第１レンズ群は、物体側より順に、少なくとも１面に非球面を有する１つの負レンズ成分と、１つの正レンズ成分と、からなり、第４レンズ群は、物体側面が凹面である１つの負レンズ成分からなり、以下の条件式（１）を満足することを特徴とする。
−４＜（Ｒ4a＋Ｒ4b）／（Ｒ4a−Ｒ4b）＜−０．５  ・・・（１）
但し、
Ｒ4aは、第４レンズ群中の負レンズ成分の物体側面の近軸曲率半径、
Ｒ4bは、第４レンズ群中の負レンズ成分の像側面の近軸曲率半径、
である。
【００１５】
なお、レンズ成分は、光軸上にて空気と接する面が物体側面と像側面の２面のみのレンズ体を意味する。
【００１６】
本発明の第１の側面のズームレンズは、物体側より順に、負−正−正−負の屈折力配置となる４群構成としている。そして、広角端から望遠端への変倍の際に、第１レンズ群と第２レンズ群との間隔が狭くなるように第２レンズ群が移動し、且つ、各レンズ群の間の間隔が変化する。
【００１７】
このような構成とすることで、広い画角を確保しやすい屈折力配置のレンズ群配置となり、第２レンズ群に主たる変倍機能を持たせることができる。そして第３レンズ群の正屈折力をある程度強めても、その像側の第４レンズ群の負の屈折力の作用により、バックフォーカスを確保でき、射出瞳を像面から離しやすくなる。
【００１８】
また、このような構成とすることで、高変倍比化にも有利となる。加えて、第１レンズ群の構成は、物体側より順に負レンズ成分、正レンズ成分の２つのレンズ成分の構成となるため、バックフォーカスを確保し易く、第１レンズ群の薄型化にも有利となる。
【００１９】
さらに、広角端での軸外収差、望遠端での球面収差の補正にも有利となる。
【００２０】
さらに、第１レンズ群中の負レンズ成分の少なくとも１つのレンズ面を非球面とすることで、広角端における軸外収差の補正に有利となり、負レンズの屈折力を強めても収差発生を抑えやすくなる。それにより、第１レンズ群全体の負の屈折力の確保に有利となり、ズームレンズ全長の短縮化、コンパクト化、もしくは広画角化に有利となる。
【００２１】
そして、第４レンズ群を、物体側面が凹面である１つの負レンズ成分とすることで、沈胴時のズームレンズの厚みへの影響を抑えつつ、軸外光束に対する収差補正を行いやすくなり広角端から望遠端にかけての諸収差の低減に有利となる。
【００２２】
また、第４レンズ群中の負レンズ成分の形状が条件式（１）を満足することで、広角端での画角と変倍比の確保、全変倍域での良好な光学性能の確保にいっそう有利となる。
【００２３】
条件式（１）の下限を下回らないようにすることで望遠端での球面収差の発生を抑えやすくなり、条件式（１）の上限を上回らないようにすることで広角端での像面湾曲の発生を抑えやすくなる。
【００２４】
また、上記課題を解決するため、本発明の第２の側面のズームレンズは、物体側から順に、負の屈折力を有する第１レンズ群、正の屈折力を有する第２レンズ群、正の屈折力を有する第３レンズ群、負の屈折力を有する第４レンズ群からなり、各レンズ群の間の間隔を変化させることにより広角端から望遠端への変倍を行い、第１レンズ群は、物体側より順に、少なくとも１面に非球面を有する１つの負レンズ成分、１つの正レンズ成分からなり、第４レンズ群は、１つの負レンズ成分からなり、以下の条件式（１’）、（２）を満足することを特徴とする。
−１５＜（Ｒ4a＋Ｒ4b）／（Ｒ4a−Ｒ4b）＜−０．５  ・・・（１’）
０．５＜ＤT／ｆt＜２  ・・・（２）
ただし、
Ｒ4aは、第４レンズ群中の負レンズ成分の物体側面の近軸曲率半径、
Ｒ4bは、第４レンズ群中の負レンズ成分の像側面の近軸曲率半径、
ＤTは、望遠端におけるズームレンズ中で最も物体側のレンズの物体側面から結像面までの光軸上の距離、
ｆtは望遠端におけるズームレンズ全系の焦点距離、
である。
【００２５】
なお、レンズ成分は、光軸上にて空気と接する面が物体側面と像側面の２面のみのレンズ体を意味する。
【００２６】
本発明の第２の側面のズームレンズは、第１の側面の本発明と同様に、負−正−正−負の４群構成のズームレンズである。そして、条件式（１’）、条件式（２）を同時に満足することで、広角端での画角の確保と変倍比の確保、全ズーム域で良好な光学性能の確保と小型化に有利となる。
【００２７】
条件式（１）の下限を下回らないようにすることで望遠端での球面収差の発生を抑えやすくなり、条件式（１）の上限を上回らないようにすることで広角端での像面湾曲の発生を抑えやすくなる。
【００２８】
また、条件式（２）は望遠端での好ましいズームレンズ全長を特定するものである。条件式（２）を満足することで、負−正−正−負の４群ズームレンズ中の各レンズ群に必要とされる屈折力の確保と小型化の両立に有利となる。
【００２９】
条件式（２）の下限を下回らないようにして、ズームレンズ全長を確保することで各レンズ群の屈折力を抑えつつ全変倍域で良好な収差性能を確保に有利となる。条件式（２）の上限を上回らないようにすることでズームレンズ全長を抑えコンパクト化に有利となる。
【００３０】
なお、ズームレンズがフォーカシング機構を備える場合、上記及び下記の各構成要件は、最も遠距離の物体に合焦した状態での構成とする。
【００３１】
また、上述の第１の側面、第２の側面の本発明を同時に満足するズームレンズとしてもよい。
【００３２】
上述の各発明のズームレンズは、以下に示す構成の１つもしくは複数の事項を満足することがより好ましい。
【００３３】
第１レンズ群中の負レンズ成分は両凹形状であり、且つ、その両凹形状の負レンズ成分は物体側面の近軸曲率半径絶対値よりも像側面の近軸曲率半径絶対値の方が小さく、そして、第１レンズ群中の正レンズ成分は物体側面が凸面であるメニスカス形状であることが好ましい。
【００３４】
負レンズ成分と正レンズ成分を上述の形状とすることで、沈胴時の小型化と共に、レンズ群の負の屈折力を維持しつつ球面収差の影響を抑えやすい構成となる。そのため、高変倍化としたときの望遠端での球面収差の補正にいっそう有利となる。
【００３５】
また、第４レンズ群中の負レンズ成分は、非球面を有することが好ましい。これにより、像面湾曲の補正にいっそう有利となる。
【００３６】
また、第４レンズ群中の負レンズ成分が単レンズであることが好ましい。沈胴時の薄型化に有利となる。
【００３７】
本発明のズームレンズは、以下の条件式（３）を満足することが好ましい。
０＜（Ｒ1a＋Ｒ1b）／（Ｒ1a−Ｒ1b）＜１  ・・・（３）
但し、
Ｒ1aは、第１レンズ群中の負レンズ成分の物体側面の近軸曲率半径、
Ｒ1bは、第１レンズ群中の負レンズ成分の像側面の近軸曲率半径、
である。
【００３８】
条件式（３）を満足することで、広角端の画角と変倍比の確保と全変倍域で良好な性能を確保にいっそう有利となる。条件式（３）は第１レンズ群中の負レンズ成分の好ましい形状を特定するものである。
【００３９】
条件式（３）を満足するように、負レンズ成分の物体側面と像側面で負のパワーを分担することで、広画角化したときの像面湾曲や望遠端での球面収差の補正に有利となる。
【００４０】
条件式（３）の上限を上回らず、下限を下回らないようにすることで、物体側面または像側面のどちらかのレンズ面の曲率が強くなりすぎることによる広角端での像面湾曲や望遠端での球面収差が発生を抑えやすくなる。
【００４１】
また、本発明のズームレンズは以下の条件式（４）、（５）を満足することが好ましい。
１．８１＜Ｎ1＜２．１５  ・・・（４）
１．９＜Ｎ2＜２．３５  ・・・（５）
ただし、
Ｎ1は、第１レンズ群中の負レンズ成分中のいずれかの負レンズのｄ−ｌｉｎｅでの屈折率、
Ｎ2は、第１レンズ群中の正レンズ成分中のいずれかの正レンズのｄ−ｌｉｎｅでの屈折率、
である。
【００４２】
これにより、広角端の画角の確保と変倍比を確保、全変倍域で良好な性能を確保にいっそう有利となる。
【００４３】
条件式（４）を満足することで、負レンズ成分の像側面の曲率を小さくでき、広角端の像面湾曲を良好に補正できる。加えて、負レンズ成分のコバ厚みを小さく出来るので、第１レンズ群の小型化に有利となる。
【００４４】
条件式（４）の下限を下回らないようにすることで広角端での像面湾曲や望遠端での球面収差の補正に有利となる。加えて、負レンズ成分のコバ厚みを小さくでき、第１レンズ群の小型化につながる。
【００４５】
条件式（４）の上限を上回らないようにすることで、材料のコスト、レンズ面の加工のコストを抑えやすくなる。
【００４６】
条件式（５）を満足することで正レンズ成分の軸上の厚みを抑えつつ、広角端の像面湾曲、望遠端での球面収差の補正に有利となる。加えて、正レンズ成分のコバ厚の確保にも容易となる。
【００４７】
条件式（５）の下限を下回らないようにすることで、広角端での像面湾曲や望遠端での球面収差を抑えやすくなる。加えて、像側の曲率絶対値を小さくできるので正レンズの軸上厚みの小型化により、第１レンズ群の小型化につながる。
【００４８】
条件式（５）の上限を上回らないようにすることで、材料のコスト、レンズ面の加工のコストを抑えやすくなる。
【００４９】
また、第３レンズ群が広角端から望遠端への変倍の際に移動し、且つ、第３レンズ群を光軸方向に移動させてフォーカシングを行うことが好ましい。
【００５０】
第２レンズ群が変倍機能を担い、第３レンズ群が像位置の調整を行う機能を担うことができる。本発明では、第３レンズ群の屈折力を大きくしてもテレセントリック性の確保が容易となるので、第３レンズ群の移動量を抑えても像面位置を調整する機能を果たすことができる。
【００５１】
また、第１レンズ群中の負レンズ成分と正レンズ成分がそれぞれ１枚のガラス単レンズであることが好ましい。これにより、各レンズ成分の屈折力の確保と小型化に有利となる。
【００５２】
また、第２レンズ群の像側直後に明るさ絞りを配置することが好ましい。
【００５３】
負先行のズームレンズタイプで高変倍比化するためには、第２レンズ群の変倍作用を大きくすることが効果的である。そのためには、第２レンズ群の後方に明るさ絞りを配置することが好ましい。
【００５４】
明るさ絞りが第２レンズ群の物体側に配置されている場合、望遠端にて第１レンズ群と第２レンズ群の軸上空気間隔を小さくし難くなるが、明るさ絞りを第２レンズ群の像側直後に配置することによって、第１レンズ群と第２レンズ群の間隔をメカの制約なく近づけることが出来る。そのため、変倍時の第２レンズ群の移動量の確保に有利となり、変倍比の確保と小型化の両立に有利となる。
【００５５】
さらには、第１レンズ群の最も像側の面が像側に凹面をむけた形状であり、第２レンズ群の最も物体側の面が物体側に凸面をむけた形状であることが好ましい。広角端付近での収差補正に有利な形状としながら、望遠端にて第２レンズ群の主点を第１レンズ群に近づけやすくなり小型化と変倍比の確保の両立にいっそう有利となる。
【００５６】
また、本発明のズームレンズは以下の条件式（６）を満足することが好ましい。
３．６＜ｆt／ｆw＜１０  ・・・（６）
ただし、
ｆwは、広角端でのズームレンズ全系の焦点距離、
ｆtは、望遠端でのズームレンズ全系の焦点距離、
である。
【００５７】
条件式（６）はズームレンズの好ましい変倍比に関する条件式である。
【００５８】
条件式（６）の下限を下回らないようにして、変倍比を確保することが本発明の機能を発揮でき好ましい。条件式（６）の上限を上回らないようにすることで、サイズやコストを低減しやすくなる。また、光学性能を良好にしやすくなる。
【００５９】
また、本発明の撮像装置は、上述のいずれかのズームレンズと、そのズームレンズの像側に配置され、且つズームレンズによる光学像を電気信号に変換する撮像素子と、を有するものである。これにより、広画角化、高変倍比化、小型化のバランスが良好な撮像装置を提供できる。
【００６０】
更に、本発明の撮像装置は、ズームレンズによるディストーションを含んだ電気信号を、画像処理によりディストーションを補正した画像信号に変換する画像変換部を有することが好ましい。
【００６１】
ズームレンズのディストーションを電気的に補正したうえで画像の記録や表示を行える。したがって、ズームレンズのディストーションの収差発生を許容することで、像面湾曲やコマ収差の補正に有利となり、結果的に小型のズームレンズで良好な画質を得やすくなる。
【００６２】
また、本発明の撮像装置では、ズームレンズによる倍率色収差を含んだ電気信号を、画像処理により倍率色収差を補正した画像信号に変換する画像変換部を有することが好ましい。
【００６３】
さらにまた、ズームレンズにより撮影された画像の電気信号を、画像処理により倍率色収差による色のずれを補正した画像信号に変換する画像変換部を有することが好ましい。ズームレンズの倍率色収差を電気的に補正することで、より良好な画像を得ることができるようになる。
【００６４】
ズームレンズの倍率色収差を許容することで、レンズの材料選択の自由度が確保でき、低コスト化、薄型化、高性能化に有利となる。
【００６５】
また、本発明のズームレンズは、上記全ての構成に関して、前記ズームレンズを構成するレンズの内、少なくとも一面に反射防止コートを施すことが望ましい。
【００６６】
本発明のズームレンズは、上述の各要件の複数を同時に満足することがより好ましい。
各条件式について以下のように下限値もしくは上限値もしくは双方を限定すると、その効果をいっそう得やすくなり好ましい。
【００６７】
条件式（１）、（１’）については、下限値を−３．８、さらには−３．６とすることがより好ましい。上限値は−１．０、さらには−２．０とすることがより好ましい。
【００６８】
条件式（２）については、下限値を０．８、さらには１．２とすることがより好ましい。上限値は１．９、さらには１．８とすることがより好ましい。
【００６９】
条件式（３）については、下限値を０．３、さらには０．５５とすることがより好ましい。上限値は０．９５、さらには０．９２とすることがより好ましい。
【００７０】
条件式（４）については、下限値を１．８３、さらには１．８５とすることがより好ましい。上限値は２．００、さらには１．９０とすることがより好ましい。
【００７１】
条件式（５）については、下限値を１．９５、さらには２．００とすることがより好ましい。上限値は２．２５、さらには２．１５とすることがより好ましい。
【００７２】
条件式（６）については、下限値を４．３、さらには４．６とすることがより好ましい。上限値は８．０、さらには６．０とすることがより好ましい。
【発明の効果】
【００７３】
本発明にかかるズームレンズ及び撮像装置は、広角端の画角の確保や小型化に有利な負先行のズームレンズであって、変倍比や明るさの確保に有利なズームレンズを提供できる、という効果を奏する。
【発明を実施するための最良の形態】
【００７４】
以下に、本発明にかかるズームレンズ及び撮像装置の実施例を図面に基づいて詳細に説明する。なお、この実施例によりこの発明が限定されるものではない。
【実施例】
【００７５】
以下、本発明のズームレンズの実施例１〜６について説明する。実施例１〜６の無限遠物点合焦時の広角端（ａ）、中間焦点距離状態（ｂ）、望遠端（ｃ）のレンズ断面図をそれぞれ図１〜図６に示す。図１〜図６中、第１レンズ群はＧ１、第２レンズ群はＧ２、第３レンズ群はＧ３、第４レンズ群はＧ４、明るさ（開口）絞りはＳ、赤外光を制限する波長域制限コートを施したローパスフィルタを構成する平行平板はＦ、電子撮像素子のカバーガラスの平行平板はＣ、像面はＩで示してある。なお、カバーガラスＣの表面に波長域制限用の多層膜を施してもよい。また、そのカバーガラスＣにローパスフィルタ作用を持たせるようにしてもよい。
【００７６】
また、各実施例において、明るさ絞りＳは第２レンズ群Ｇ２と一体で移動する。数値データはいずれも無限遠の被写体に合焦した状態でのデータである。各数値の長さの単位はｍｍ、角度の単位は°（度）である。フォーカシングはいずれの実施例も第３レンズ群Ｇ３の移動により行う。さらに、ズームデータは広角端（ＷＥ）、本発明で定義する中間ズーム状態（ＳＴ）、望遠端（ＴＥ）での値である。
【００７７】
実施例１のズームレンズは、図１に示すように、物体側から順に、負の屈折力の第１レンズ群Ｇ１と、正の屈折力の第２レンズ群Ｇ２と、明るさ（開口）絞りＳと、正の屈折力の第３レンズ群Ｇ３と、負の屈折力の第４レンズ群Ｇ４と、を配置している。
【００７８】
広角端から望遠端への変倍に際して、第１レンズ群Ｇ１は像側へ移動した後に物体側へ移動する。第２レンズ群Ｇ２は物体側へ移動する。第３レンズ群Ｇ３は像側へ移動した後に物体側へ移動する。第４レンズ群Ｇ４は固定されている。
【００７９】
物体側から順に、第１レンズ群Ｇ１は、両凹負レンズと、物体側に凸面を向けた正メニスカスレンズと、からなる。第２レンズ群Ｇ２は、物体側に凸面を向けた正メニスカスレンズと、物体側に凸面を向けた正メニスカスレンズと物体側に凸面を向けた負メニスカスレンズとの接合レンズと、両凸正レンズと、からなる。第３レンズ群Ｇ３は、像側に凸面を向けた正メニスカスレンズからなる。第４レンズ群Ｇ４は、物体側に凹面を向けた負メニスカスレンズと、からなる。
【００８０】
非球面は、第１レンズ群Ｇ１の両凹負レンズの両面と、第２レンズ群Ｇ２の物体側の正メニスカスレンズの両面と、第３レンズ群Ｇ３の正メニスカスレンズの両面と、第４レンズ群Ｇ４の負メニスカスレンズの物体側の面と、の７面に設けられている。
【００８１】
実施例２のズームレンズは、図２に示すように、物体側から順に、負の屈折力の第１レンズ群Ｇ１と、正の屈折力の第２レンズ群Ｇ２と、明るさ（開口）絞りＳと、正の屈折力の第３レンズ群Ｇ３と、負の屈折力の第４レンズ群Ｇ４と、を配置している。
【００８２】
広角端から望遠端への変倍に際して、第１レンズ群Ｇ１は像側へ移動した後に物体側へ移動する。第２レンズ群Ｇ２は物体側へ移動する。第３レンズ群Ｇ３は像側へ移動した後に物体側へ移動する。第４レンズ群Ｇ４は固定されている。
【００８３】
物体側から順に、第１レンズ群Ｇ１は、両凹負レンズと、物体側に凸面を向けた正メニスカスレンズと、からなる。第２レンズ群Ｇ２は、物体側に凸面を向けた正メニスカスレンズと、物体側に凸面を向けた正メニスカスレンズと物体側に凸面を向けた負メニスカスレンズとの接合レンズと、両凸正レンズと、からなる。第３レンズ群Ｇ３は、像側に凸面を向けた正メニスカスレンズからなる。第４レンズ群Ｇ４は、物体側に凹面を向けた負メニスカスレンズと、からなる。
【００８４】
非球面は、第１レンズ群Ｇ１の両凹負レンズの両面と、第２レンズ群Ｇ２の物体側の正メニスカスレンズの両面と、第３レンズ群Ｇ３の正メニスカスレンズの両面と、第４レンズ群Ｇ４の負メニスカスレンズの物体側の面と、の７面に設けられている。
【００８５】
実施例３のズームレンズは、図３に示すように、物体側から順に、負の屈折力の第１レンズ群Ｇ１と、正の屈折力の第２レンズ群Ｇ２と、明るさ（開口）絞りＳと、正の屈折力の第３レンズ群Ｇ３と、負の屈折力の第４レンズ群Ｇ４と、を配置している。
【００８６】
広角端から望遠端への変倍に際して、第１レンズ群Ｇ１は像側へ移動した後に物体側へ移動する。第２レンズ群Ｇ２は物体側へ移動する。第３レンズ群Ｇ３は像側へ移動した後に物体側へ移動する。第４レンズ群Ｇ４は固定されている。
【００８７】
物体側から順に、第１レンズ群Ｇ１は、両凹負レンズと、物体側に凸面を向けた正メニスカスレンズと、からなる。第２レンズ群Ｇ２は、物体側に凸面を向けた正メニスカスレンズと、物体側に凸面を向けた正メニスカスレンズと物体側に凸面を向けた負メニスカスレンズとの接合レンズと、両凸正レンズと、からなる。第３レンズ群Ｇ３は、像側に凸面を向けた正メニスカスレンズからなる。第４レンズ群Ｇ４は、物体側に凹面を向けた負メニスカスレンズと、からなる。
【００８８】
非球面は、第１レンズ群Ｇ１の両凹負レンズの両面及び正メニスカスレンズの像側の面と、第２レンズ群Ｇ２の物体側の正メニスカスレンズの両面と、第３レンズ群Ｇ３の正メニスカスレンズの両面と、第４レンズ群Ｇ４の負メニスカスレンズの物体側の面と、の８面に設けられている。
【００８９】
実施例４のズームレンズは、図４に示すように、物体側から順に、負の屈折力の第１レンズ群Ｇ１と、正の屈折力の第２レンズ群Ｇ２と、明るさ（開口）絞りＳと、正の屈折力の第３レンズ群Ｇ３と、負の屈折力の第４レンズ群Ｇ４と、を配置している。
【００９０】
広角端から望遠端への変倍に際して、第１レンズ群Ｇ１は像側へ移動した後に物体側へ移動する。第２レンズ群Ｇ２は物体側へ移動する。第３レンズ群Ｇ３は像側へ移動した後に物体側へ移動する。第４レンズ群Ｇ４は固定されている。
【００９１】
物体側から順に、第１レンズ群Ｇ１は、両凹負レンズと、物体側に凸面を向けた正メニスカスレンズと、からなる。第２レンズ群Ｇ２は、物体側に凸面を向けた正メニスカスレンズと、物体側に凸面を向けた正メニスカスレンズと物体側に凸面を向けた負メニスカスレンズとの接合レンズと、両凸正レンズと、からなる。第３レンズ群Ｇ３は、像側に凸面を向けた正メニスカスレンズからなる。第４レンズ群Ｇ４は、物体側に凹面を向けた負メニスカスレンズと、からなる。
【００９２】
非球面は、第１レンズ群Ｇ１の両凹負レンズの両面と、第２レンズ群Ｇ２の物体側の正メニスカスレンズの両面と、第３レンズ群Ｇ３の正メニスカスレンズの両面と、第４レンズ群Ｇ４の負メニスカスレンズの物体側の面と、の７面に設けられている。
【００９３】
実施例５のズームレンズは、図５に示すように、物体側から順に、負の屈折力の第１レンズ群Ｇ１と、正の屈折力の第２レンズ群Ｇ２と、明るさ（開口）絞りＳと、正の屈折力の第３レンズ群Ｇ３と、負の屈折力の第４レンズ群Ｇ４と、を配置している。
【００９４】
広角端から望遠端への変倍に際して、第１レンズ群Ｇ１は像側へ移動した後に物体側へ移動する。第２レンズ群Ｇ２は物体側へ移動する。第３レンズ群Ｇ３は像側へ移動した後に物体側へ移動する。第４レンズ群Ｇ４は固定されている。
【００９５】
物体側から順に、第１レンズ群Ｇ１は、両凹負レンズと、物体側に凸面を向けた正メニスカスレンズと、からなる。第２レンズ群Ｇ２は、物体側に凸面を向けた正メニスカスレンズと、物体側に凸面を向けた正メニスカスレンズと物体側に凸面を向けた負メニスカスレンズとの接合レンズと、両凸正レンズと、からなる。第３レンズ群Ｇ３は、像側に凸面を向けた正メニスカスレンズからなる。第４レンズ群Ｇ４は、物体側に凹面を向けた負メニスカスレンズと、からなる。フレア絞りＦＳは、第１レンズ群Ｇ１と第２レンズ群Ｇ２との間に設けられている。
【００９６】
非球面は、第１レンズ群Ｇ１の両凹負レンズの両面及び正メニスカスレンズの像側の面と、第２レンズ群Ｇ２の物体側の正メニスカスレンズの両面と、第３レンズ群Ｇ３の正メニスカスレンズの両面と、第４レンズ群Ｇ４の負メニスカスレンズの物体側の面と、の８面に設けられている。
【００９７】
実施例６のズームレンズは、図６に示すように、物体側から順に、負の屈折力の第１レンズ群Ｇ１と、正の屈折力の第２レンズ群Ｇ２と、明るさ（開口）絞りＳと、正の屈折力の第３レンズ群Ｇ３と、負の屈折力の第４レンズ群Ｇ４と、を配置している。
【００９８】
広角端から望遠端への変倍に際して、第１レンズ群Ｇ１は像側へ移動した後に物体側へ移動する。第２レンズ群Ｇ２は物体側へ移動する。第３レンズ群Ｇ３は像側へ移動した後に物体側へ移動する。第４レンズ群Ｇ４は固定されている。
【００９９】
物体側から順に、第１レンズ群Ｇ１は、両凹負レンズと、物体側に凸面を向けた正メニスカスレンズと、からなる。第２レンズ群Ｇ２は、物体側に凸面を向けた正メニスカスレンズと、物体側に凸面を向けた正メニスカスレンズと物体側に凸面を向けた負メニスカスレンズとの接合レンズと、両凸正レンズと、からなる。第３レンズ群Ｇ３は、像側に凸面を向けた正メニスカスレンズからなる。第４レンズ群Ｇ４は、物体側に凹面を向けた負メニスカスレンズと、からなる。
【０１００】
非球面は、第１レンズ群Ｇ１の両凹負レンズの両面及び正メニスカスレンズの両面と、第２レンズ群Ｇ２の物体側の正メニスカスレンズの両面及び両凸正レンズの像側の面と、第３レンズ群Ｇ３の正メニスカスレンズの像側の面と、第４レンズ群Ｇ４の負メニスカスレンズの両面と、の１０面に設けられている。
【０１０１】
以下に、上記各実施例の数値データを示す。記号は上記のほか、ｒは各レンズ面の曲率半径、ｄは各レンズの肉厚または間隔、ｎｄは各レンズのｄ線における屈折率、νｄは各レンズのｄ線におけるアッベ数、Ｋは円錐係数をそれぞれ示している。
【０１０２】
また、各非球面形状は、各実施例における各非球面係数を用いて、以下の式（Ｉ）で表される。
但し、光軸方向の座標をＺ、光軸と垂直な方向の座標をＹとする。
Ｚ＝（Ｙ２／ｒ）／［１＋｛１−（１＋Ｋ）・（Ｙ／ｒ）２｝１／２］＋
Ａ４×Ｙ４＋Ａ６×Ｙ６＋Ａ８×Ｙ８＋Ａ１０×Ｙ１０＋Ａ１２×Ｙ１２・・・（Ｉ）
ただし、
ｒは近軸曲率半径、
Ｋは円錐係数、
Ａ4 、Ａ6 、Ａ8 、Ａ10、Ａ12はそれぞれ４次、６次、８次、１０次、１２次の非球面係数である。
また、非球面係数において、「ｅ−ｎ」（ｎは整数）は、「１０−ｎ」を示している。
【０１０３】
数値実施例１
単位ｍｍ
面データ
面番号     r          d         nd        νd
物面      ∞          ∞
1*    -47.643       0.85     1.85135    40.10
2*      6.135       1.68
3      10.167       1.80     2.00178    19.30
4      22.997       可変
5*      4.840       1.80     1.58313    59.38
6*     11.243       0.10
7       6.567       1.20     1.88300    40.76
8      16.755       0.60     1.92286    20.88
9       4.166       0.50
10     10.589       1.00     1.67270    32.10
11    -23.507       0.50
12       絞り       可変
13*   -16.664       1.70     1.55332    71.68
14*    -7.149       可変
15*    -9.621       0.85     1.52540    56.25
16    -17.144       0.30
17        ∞        0.30     1.51633    64.14
18        ∞        0.50
19        ∞        0.50     1.51633    64.14
20        ∞        0.37
像面(撮像面) ∞        
非球面データ
第１面
k=0.000
A4=3.57128e-04,A6=-6.63505e-06,A8=2.50508e-08,A10=3.08729e-10
第２面
k=0.000
A4=-5.36474e-07,A6=-8.93302e-06,A8=-1.17768e-07,A10=-9.55808e-09
第５面
k=0.000
A4=-8.47352e-05,A6=3.01885e-06,A8=2.88087e-06
第６面
k=0.000
A4=8.80509e-04,A6=5.47311e-05,A8=2.98587e-07,A10=4.79526e-07
第１３面
k=0.000
A4=-1.00016e-03,A6=-8.62351e-05,A8=8.90710e-06,A10=-8.22775e-08
第１４面
k=0.000
A4=-2.69125e-04,A6=-7.45922e-05,A8=4.54677e-06,A10=6.88885e-08
第１５面
k=0.000
A4=5.28228e-04,A6=-1.24484e-04,A8=5.07560e-06 
ズームデータ
広角      中間      望遠
焦点距離       4.63     11.55     22.16
ＦＮＯ．       2.86      4.91      6.00
画角２ω      92.15     36.08     18.82
D4            16.21      4.56      0.20  
D12            2.90     10.89     20.93  
D14            3.03      1.95      2.85  
fb (in air)    1.70      1.70      1.70
全長 (in air) 36.42     31.69     38.26
像高           3.83      3.83      3.83
群焦点距離
f1=-11.23     f2=9.81    f3=21.27   f4=-43.42   
【０１０４】
数値実施例２
単位  ｍｍ
面データ
面番号     r          d         nd        νd
物面      ∞          ∞
1*     -29.322      0.85     1.85135    40.10
2*       7.203      1.71
3       11.177      1.68     2.00178    19.30
4       25.650      可変
5*       5.019      1.85     1.58313    59.38
6*      26.956      0.10
7        8.399      1.52     1.88300    40.76
8       32.055      0.60     1.84666    23.78
9        4.170      0.60
10       9.972      1.13     1.65412    39.68
11     -63.359      0.30
12       絞り       可変
13*    -15.933      1.89     1.55332    71.68
14*     -6.470      可変
15*     -7.637      0.85     1.52540    56.25
16     -15.470      0.30
17        ∞        0.30     1.51633    64.14
18        ∞        0.50
19        ∞        0.50     1.51633    64.14
20        ∞        0.37
像面(撮像面) ∞        
非球面データ
第１面
k=0.000
A4=4.99109e-04,A6=-8.94706e-06,A8=1.00727e-07,A10=-7.91343e-10
第２面
k=0.000
A4=2.61070e-04,A6=-5.93572e-06,A8=7.91557e-08,A10=-6.87609e-09
第５面
k=0.000
A4=-2.51325e-05,A6=-7.06371e-06,A8=7.37768e-06
第６面
k=0.000
A4=9.96217e-04,A6=2.63226e-06,A8=1.36408e-05,A10=-4.27886e-10
第１３面
k=0.000
A4=-5.04802e-04,A6=-1.76423e-04,A8=1.60553e-05,A10=-2.50741e-07
第１４面
k=0.000
A4=5.55538e-04,A6=-1.72511e-04,A8=1.01417e-05,A10=4.95291e-09
第１５面
k=0.000
A4=1.83506e-03,A6=-2.90323e-04,A8=1.26326e-05
ズームデータ
広角      中間      望遠
焦点距離       4.95     11.19     23.33
ＦＮＯ．       2.87      4.71      6.02
画角２ω      84.29     37.40     17.99
D4            15.65      5.19      0.20  
D12            2.84      9.80     21.06  
D14            2.80      1.85      2.32  
fb (in air)    1.70      1.70      1.70
全長 (in air) 36.06     31.61     38.35
像高           3.83      3.83      3.83
群焦点距離
f1=-11.64     f2=9.84    f3=18.38  f4=-29.83
【０１０５】
数値実施例３
単位  ｍｍ
面データ
面番号     r          d         nd        νd 
物面       ∞         ∞
1*     -29.659      0.85     1.85135    40.10
2*       7.252      1.94
3       10.470      1.75     2.00178    19.30
4*      21.675      可変
5*       4.836      1.88     1.58313    59.38
6*      27.362      0.10
7        8.675      1.44     1.88300    40.76
8       27.723      0.60     1.84666    23.78
9        4.076      0.60
10       9.821      1.09     1.65412    39.68
11     -75.537      0.30
12       絞り       可変
13*    -16.273      1.83     1.55332    71.68
14*     -6.109      可変
15*     -7.355      0.85     1.52540    56.25
16     -15.794      0.30
17        ∞        0.30     1.51633    64.14
18        ∞        0.50
19        ∞        0.50     1.51633    64.14
20        ∞        0.37
像面(撮像面) ∞        
非球面データ
第１面
k=0.000
A4=3.40995e-04,A6=-5.13343e-06,A8=3.35710e-08
第２面
k=0.000
A4=-3.33261e-05,A6=-5.81602e-06,A8=-6.03232e-08,
第４面
k=0.000
A4=9.48874e-05,A6=1.76986e-06,A8=-4.31922e-08
第５面
k=0.000
A4=-1.44419e-04,A6=-5.59810e-07,A8=7.06727e-06
第６面
k=0.000
A4=9.35523e-04,A6=2.05726e-05,A8=1.32121e-05
第１３面
k=0.000
A4=7.29618e-05,A6=-1.48545e-04,A8=7.20359e-06,A10=1.15579e-10
第１４面
k=0.000
A4=1.45067e-03,A6=-1.84082e-04,A8=6.92278e-06,A10=4.71448e-08
第１５面
k=0.000
A4=2.66399e-03,A6=-3.80171e-04,A8=1.55021e-05
ズームデータ
広角      中間      望遠
焦点距離      4.86     11.73     22.48
ＦＮＯ．      2.86      4.86      6.02
画角２ω     84.50     35.56     18.66
D4           16.14      4.68      0.20  
D12           3.04     10.58     20.84  
D14           2.66      1.87      2.35  
fb (in air)   1.70      1.70      1.70
全長(in air) 36.77     32.06     38.32
像高          3.83      3.83      3.83
群焦点距離
f1=-11.86     f2=10.04    f3=16.61   f4=-27.14   
【０１０６】
数値実施例４
単位  ｍｍ
面データ
面番号     r          d         nd        νd 
物面       ∞         ∞
1*     -29.770      0.85     1.85135    40.10
2*       7.223      1.69
3       11.193      1.67     2.00178    19.30
4       25.783      可変
5*       5.028      1.88     1.58313    59.38
6*      26.919      0.10
7        8.396      1.48     1.88300    40.76
8       32.017      0.60     1.84666    23.78
9        4.168      0.60
10       9.935      1.09     1.65412    39.68
11     -61.878      0.30
12       絞り       可変
13*    -15.998      1.90     1.55332    71.68
14*     -6.455      可変
15*     -7.654      0.85     1.52540    56.25
16     -15.418      0.30
17        ∞        0.30     1.51633    64.14
18        ∞        0.50
19        ∞        0.50     1.51633    64.14
20        ∞        0.37
像面(撮像面) ∞        
非球面データ
第１面
k=0.000
A4=5.79963e-04,A6=-1.48583e-05,A8=2.04528e-07,A10=-1.26564e-09
第２面
k=0.000
A4=3.39406e-04,A6=-1.07046e-05,A8=-1.11476e-07,A10=1.68906e-10
第５面
k=0.000
A4=-1.26615e-04,A6=-1.07869e-05,A8=6.13180e-06
第６面
k=0.000
A4=8.19692e-04,A6=4.53322e-06,A8=1.05330e-05,A10=3.19520e-08
第１３面
k=0.000
A4=-2.57078e-04,A6=-1.48954e-04,A8=1.07509e-05,A10=-8.21444e-08
第１４面
k=0.000
A4=9.62948e-04,A6=-1.55832e-04,A8=6.49494e-06,A10=8.75571e-08
第１５面
k=0.000
A4=2.48017e-03,A6=-3.09823e-04,A8=1.14834e-05
ズームデータ
広角      中間      望遠
焦点距離       4.97     11.14     23.29
ＦＮＯ．       2.86      4.66      6.02
画角２ω      83.79     37.54     18.00
D4            15.64      5.20      0.20  
D12            2.87      9.70     21.04  
D14            2.84      1.97      2.33  
fb (in air)    1.70      1.70      1.70
全長 (in air) 36.05     31.58     38.28
像高           3.83      3.83      3.83
群焦点距離
f1=-11.74    f2=9.89    f3=18.26   f4=-30.06
【０１０７】
数値実施例５
単位  ｍｍ
面データ
面番号     r          d         nd        νd 
物面     ∞         ∞
1*    -125.379      0.85     1.85135    40.10
2*       6.533      1.53
3       10.567      1.76     2.00178    19.30
4*      21.169      可変
5         ∞        0.00
6*       4.591      1.60     1.58313    59.38
7*      32.489      0.10
8       10.167      1.01     1.88300    40.76
9       14.013      0.60     1.84666    23.78
10       3.990      0.60
11       8.610      1.00     1.65475    38.56
12     -35.265      0.30
13       絞り       可変
14*    -14.600      1.81     1.55332    71.68
15*     -6.184      可変
16*     -6.509      0.85     1.52540    56.25
17     -16.639      0.30
18        ∞        0.30     1.51633    64.14
19        ∞        0.50
20        ∞        0.50     1.51633    64.14
21        ∞        0.37
像面(撮像面) ∞        
非球面データ
第１面
k=0.000
A4=1.62111e-04,A6=-6.07086e-06,A8=5.96970e-08
第２面
k=0.000
A4=1.22310e-04,A6=-1.34058e-05,A8=-1.94237e-07
第４面
k=0.000
A4=-1.65315e-04,A6=3.77200e-06,A8=-3.58859e-08
第６面
k=0.000
A4=-5.94521e-04,A6=-1.58611e-05,A8=3.19594e-07
第７面
k=0.000
A4=2.30559e-04,A6=-3.27821e-06,A8=2.12462e-06
第１４面
k=0.000
A4=6.53464e-05,A6=-1.31379e-04,A8=7.46808e-06,A10=-3.35062e-09
第１５面
k=0.000
A4=1.36585e-03,A6=-1.67655e-04,A8=7.06557e-06,A10=3.48165e-08
第１６面
k=0.000
A4=2.41340e-03,A6=-2.91695e-04,A8=1.12706e-05
ズームデータ
広角      中間      望遠
焦点距離       5.02     11.41     23.86
ＦＮＯ．       2.86      4.53      6.00
画角２ω      83.62     36.65     17.50
D4            17.29      5.69      0.20  
D13            3.64     10.39     21.35  
D15            2.88      1.99      2.53  
fb (in air)    1.70      1.70      1.70
全長 (in air) 37.51     31.78     37.78
像高           3.83      3.83      3.83
群焦点距離
f1=-12.37    f2=10.13    f3=18.01    f4=-20.95
【０１０８】
数値実施例６
単位  ｍｍ
面データ
面番号    r          d         nd        νd 
物面      ∞         ∞
1*     -75.513      0.85     1.85135    40.10
2*       6.575      1.87
3*       8.310      1.83     2.00178    19.30
4*      13.070      可変
5*       5.923      1.72     1.58313    59.38
6*      77.755      0.10
7        7.546      1.41     1.88300    40.76
8       17.737      0.60     1.84666    23.78
9        4.669      0.70
10      11.982      0.60     1.58313    59.38
11*   -263.242      0.30
12       絞り       可変
13      -8.490      1.69     1.58313    59.38
14*     -6.138      可変
15*     -8.555      0.85     1.52540    56.25
16*    -15.738      0.30
17        ∞        0.50     1.51633    64.14
18        ∞        0.50
19        ∞        0.50     1.51633    64.14
20        ∞        0.37
像面(撮像面) ∞        
非球面データ
第１面
k=0.000
A4=6.33994e-04,A6=-1.09314e-05,A8=5.62486e-08
第２面
k=0.000
A4=-6.33514e-04,A6=6.19211e-05,A8=-1.45182e-06
第３面
k=0.000
A4=-1.56534e-03,A6=4.77192e-05,A8=-5.32958e-07
第４面
k=0.000
A4=-1.18060e-03,A6=3.31937e-05,A8=-3.42019e-07
第５面
k=0.000
A4=-3.80197e-04,A6=2.27438e-06,A8=-4.02765e-07
第６面
k=0.000
A4=-1.05596e-04,A6=5.81845e-06,A8=-5.19839e-07
第１１面
k=0.000
A4=9.91845e-04,A6=3.99228e-06,A8=7.49200e-06
第１４面
k=0.000
A4=3.97998e-04,A6=8.60846e-06,A8=4.07634e-07
第１５面
k=0.000
A4=-6.69660e-03,A6=2.45830e-04
第１６面
k=0.000
A4=-6.14930e-03,A6=1.93177e-04
ズームデータ
広角      中間      望遠
焦点距離       4.79      9.85     26.72
ＦＮＯ．       2.86      4.08      6.12
画角２ω      85.78     42.15     15.75
D4            19.36      6.97      0.20  
D12            3.29      6.80     21.94  
D14            2.82      3.61      2.18  
fb (in air)    1.83      1.83      1.83
全長 (in air) 39.81     31.71     38.65
像高           3.83      3.83      3.83
群焦点距離
f1=-11.78     f2=9.71    f3=30.06   f4=-37.19
【０１０９】
以上の実施例１〜６の無限遠物点合焦時の収差図をそれぞれ図７〜図１２に示す。これらの収差図において、（ａ）は広角端、（ｂ）は中間焦点距離状態、（ｃ）は望遠端における、球面収差（ＳＡ）、非点収差（ＡＳ）、歪曲収差（ＤＴ）、倍率色収差（ＣＣ）を示す。各図中、“ω”は半画角を示す。
【０１１０】
次に、各実施例における条件式（１）〜（６）の値を掲げる。なお、ディストーションの補正に関しては、中間焦点距離状態、望遠端状態では上述の値に対して変更がない。このため、重複する値については記載を省略する。
実施例１  実施例２  実施例３  実施例４  実施例５  実施例６
(1）(R4a+R4b)/(R4a-R4b) 
-3.56     -2.95     -2.74     -2.97     -2.28     -3.38 
(2）DT/fｔ          1.74      1.66      1.72      1.66      1.60      1.46 
(3）(R1a+R1b)/(R1a-R1b) 
0.77      0.61      0.61      0.61      0.90      0.84 
(4) N1              1.85135   1.85135   1.85135   1.85135   1.85135   1.85135 
(5) N2              2.00178   2.00178   2.00178   2.00178   2.00178   2.00178 
(6) ft/fw           4.79      4.72      4.62      4.68      4.76      5.58 
ディストーション電気補正時の像高（広角端)
3.39      3.42      3.41      3.42      3.41      3.43 
ディストーション電気補正後の全画角(広角端)
79.26     75.49     76.46     75.23     74.73     77.31 
【０１１１】
（反射防止コート）
ゴースト・フレアの発生を防止するためにレンズの空気接触面に反射防止コートを施すことは一般的に行われている。一方、接合レンズの接合面では接着材の屈折率が空気の屈折率よりも十分高い。そのためもともと単層コート並み、あるいはそれ以下の反射率となっていることが多く、あえてコートを施すことは少ない。
【０１１２】
しかしながら、接合面にも積極的に反射防止コートを施せばさらにゴースト・フレアを軽減でき、なお良好な画像を得ることができるようになる。特に最近では高屈折率硝材が普及し収差補正効果が高いためカメラ光学系に多用されるようになってきているが、高屈折率硝材を接合レンズとして用いた場合、接合面での反射も無視できなくなってくる。
【０１１３】
そのような場合、接合面に反射防止コートを施しておくことは特に効果的である。接合面コートの効果的な使用法に関しては、特開平２−２７３０１号、特開２００１−３２４６７６号、特開２００５−９２１１５号、ＵＳＰ７１１６４８２等に開示されている。
【０１１４】
使用するコート材としては、基盤となるレンズの屈折率と接着材の屈折率に応じて、比較的高屈折率なＴａ２Ｏ５、ＴｉＯ２、Ｎｂ２Ｏ５、ＺｒＯ２、ＨｆＯ２、ＣｅＯ２、ＳｎＯ２、Ｉｎ２Ｏ３、ＺｎＯ、Ｙ２Ｏ３などのコート材、比較的低屈折率なＭｇＦ２、ＳｉＯ２、Ａｌ２Ｏ３などのコート材、などを適宜選択し、位相条件を満たすような膜厚に設定すれば良い。
【０１１５】
当然のことながら、レンズの空気接触面へのコーティング同様、接合面コートをマルチコートとしても良い。２層あるいはそれ以上の膜数のコート材や膜厚を適宜組み合わせることで、更なる反射率の低減や、反射率の分光特性・角度特性等のコントロールなどを行うことが可能となる。また第１レンズ群以外のレンズ接合面についても、同様の思想に基づいて接合面コートを行うことが効果的なのは言うまでもない。
【０１１６】
（ディストーションの信号処理）
本実施例のズームレンズは矩形の光電変換面上に広角端では樽型の歪曲収差が発生する。一方中間焦点距離状態付近や望遠端では歪曲収差の発生が抑えられる。歪曲収差を電気的に補正するために、有効撮像領域は、広角端では樽型形状とし、中間焦点距離状態や望遠端では矩形の形状となるようにしている。
【０１１７】
そして、あらかじめ設定した有効撮像領域を画像処理により画像変換し、歪みを低減させた矩形の画像情報に変換する。
広角端での像高ＩＨｗは、中間焦点距離状態の像高ＩＨｓや望遠端での像高ＩＨｔよりも小さくなるようにしている。
【０１１８】
そして、広角端にて光電変換面の短辺方向の長さが有効撮像領域の短辺方向の長さと同じになるようにし、画像処理後の歪曲収差が−３％程残るように有効撮像領域を定めている。もちろん、それよりも小さい樽型の領域を有効撮像領域として矩形に変換した画像を記録・再生するようにしてもよい。
【０１１９】
（倍率色収差の信号処理）
一般に、電子スチルカメラにおいては被写体の像を、第１原色、第２原色、第３原色の３原色の像に分解して、それぞれの出力信号を演算により重ね合わせることによりカラー画像を再現するようにしている。ズームレンズに倍率色収差がある場合、第１原色の光による像を基準にして考えると、第２原色と第３原色の光による像が結像される位置は第１原色の像が結像される位置からずれることになる。
【０１２０】
電子的に画像の倍率色収差を補正するためには、第１原色に対する第２原色、第３原色の光の結像位置のずれの量をズームレンズの収差情報に基づいて撮像素子の各画素について予め求めておく。そして撮影画像の各画素ごとに、第１原色とのズレ量だけ補正するよう座標変換を行ってやればよい。
【０１２１】
例えば、赤（Ｒ）、緑（Ｇ）、青（Ｂ）の３原色の出力信号からなる画像について説明すれば、Ｇに対するＲとＢの結像位置ずれを各画素について求めておき、Ｇとのずれがなくなるように撮影画像の座標変換を行い、その後にＲとＢの信号を出力してやればよい。
【０１２２】
倍率色収差はズーム、フォーカス、絞り値によって変化するが、各レンズポジション（ズーム、フォーカス、絞り値）ごとに、この第１原色からの第２原色及び第３原色のずれ量を補正データとして記憶保持装置に記憶させておくとよい。ズームポジションに応じてこの補正データを参照することで、第１原色信号に対する第２及び第３原色のずれを補正した第２及び第３原色信号を出力することができる。
【０１２３】
また、各実施例は、広角端の画角が広く、小型であり、高変倍比でありながら光学性能も良好なズームレンズとなっている。
【０１２４】
（歪曲収差の補正）
ところで、本発明のズームレンズを用いたときに、像の歪曲は電気的にデジタル補正する。以下に、像の歪曲をデジタル補正するための基本的概念について説明する。
【０１２５】
例えば、図１３に示すように、光軸と撮像面との交点を中心として有効撮像面の長辺に内接する半径Ｒの円周上（像高）での倍率を固定し、この円周を補正の基準とする。そして、それ以外の任意の半径ｒ（ω）の円周上（像高）の各点を略放射方向に移動させて、半径ｒ'（ω）となるように同心円状に移動させることで補正する。
【０１２６】
例えば、図１３において、半径Ｒの円の内側に位置する任意の半径ｒ1（ω）の円周上の点Ｐ1は、円の中心に向けて補正すべき半径ｒ1'（ω）円周上の点Ｐ2に移動させる。また、半径Ｒの円の外側に位置する任意の半径ｒ2（ω）の円周上の点Ｑ1は、円の中心から離れる方向に向けて補正すべき半径ｒ2'（ω）円周上の点Ｑ2に移動させる。
【０１２７】
ここで、ｒ'（ω）は次のように表すことができる。
ｒ'（ω）＝α・ｆ・ｔａｎω
ただし、
ωは被写体半画角、
ｆは結像光学系（本発明では、ズームレンズ）の焦点距離、
αは０以上１以下である。
【０１２８】
ここで、前記半径Ｒの円上（像高）に対応する理想像高をＹとすると、
α＝Ｒ／Ｙ＝Ｒ／（ｆ・ｔａｎω）
となる。
【０１２９】
光学系は、理想的には、光軸に対して回転対称であり、すなわち歪曲収差も光軸に対して回転対称に発生する。したがって、上述のように、光学的に発生した歪曲収差を電気的に補正する場合には、再現画像上で光軸と撮像面との交点を中心とした有効撮像面の長辺に内接する半径Ｒの円の円周上（像高）の倍率を固定して、それ以外の半径ｒ（ω）の円周上（像高）の各点を略放射方向に移動させて、半径ｒ'（ω）となるように同心円状に移動させることで補正することができれば、データ量や演算量の点で有利と考えられる。
【０１３０】
ところが、光学像は、電子撮像素子で撮像された時点で（サンプリングのため）連続量ではなくなる。したがって、厳密には光学像上に描かれる上記半径Ｒの円も、電子撮像素子上の画素が放射状に配列されていない限り正確な円ではなくなる。
【０１３１】
つまり、離散的座標点毎に表される画像データの形状補正においては、上記倍率を固定できる円は存在しない。そこで、各画素（Ｘi，Ｙj）毎に、移動先の座標（Ｘi'，Ｙj' ）を決める方法を用いるのがよい。なお、座標（Ｘi'，Ｙj'）に（Ｘi，Ｙj）の２点以上が移動してきた場合には、各画素が有する値の平均値をとる。また、移動してくる点がない場合には、周囲のいくつかの画素の座標（Ｘi'，Ｙj'）の値を用いて補間すればよい。
【０１３２】
このような方法は、特にズームレンズを有する電子撮像装置において光学系や電子撮像素子の製造誤差等のために光軸に対して歪みが著しく、前記光学像上に描かれる上記半径Ｒの円が非対称になった場合の補正に有効である。また、撮像素子あるいは各種出力装置において信号を画像に再現する際に幾何学的歪み等が発生する場合等の補正に有効である。
【０１３３】
本発明の電子撮像装置では、補正量ｒ’（ω）−ｒ（ω）を計算するために、ｒ（ω）すなわち半画角と像高との関係、あるいは、実像高ｒと理想像高ｒ’／αとの関係が、電子撮像装置に内蔵された記録媒体に記録されている構成としてもよい。
【０１３４】
なお、歪曲補正後の画像が短辺方向の両端において光量が極端に不足することのないようにするには、前記半径Ｒが、次の条件式を満足するのがよい。
【０１３５】
０≦Ｒ≦０．６Ｌs 
ただし、Ｌsは有効撮像面の短辺の長さである。
【０１３６】
好ましくは、前記半径Ｒは、次の条件式を満足するのがよい。
０．３Ｌs≦Ｒ≦０．６Ｌs
さらには、半径Ｒは、略有効撮像面の短辺方向の内接円の半径に一致させるのが最も有利である。なお、半径Ｒ＝０の近傍、すなわち、軸上近傍において倍率を固定した補正の場合は、画質の面で若干の不利があるが、広画角化しても小型化にするための効果は確保できる。
【０１３７】
なお、補正が必要な焦点距離区間については、いくつかの焦点ゾーンに分割する。そして、該分割された焦点ゾーン内の望遠端近傍で略、
ｒ’（ω）＝α・ｆ・ｔａｎω
を満足する補正結果が得られる場合と同じ補正量で補正してもよい。
【０１３８】
ただし、その場合、分割された焦点ゾーン内の広角端において樽型歪曲量がある程度残存してしまう。また、分割ゾーン数を増加させてしまうと、補正のために必要な固有データを記録媒体に余計に保有する必要が生じあまり好ましくない。そこで、分割された焦点ゾーン内の各焦点距離に関連した１つ又は数個の係数を予め算出しておく。この係数は、シミュレーションや実機による測定に基づいて決定しておけばよい。
【０１３９】
そして、前記分割されたゾーン内の望遠端近傍で略、
ｒ’（ω）＝α・ｆ・ｔａｎω
を満足する補正結果が得られる場合の補正量を算出し、この補正量に対して焦点距離毎に前記係数を一律に掛けて最終的な補正量にしてもよい。
【０１４０】
ところで、無限遠物体を結像させて得られた像に歪曲がない場合は、
ｆ＝ｙ／ｔａｎω
が成立する。
ただし、ｙは像点の光軸からの高さ（像高）、ｆは結像系（本発明ではズームレンズ）の焦点距離、ωは撮像面上の中心からｙの位置に結ぶ像点に対応する物点方向の光軸に対する角度（被写体半画角）である。
【０１４１】
結像系に樽型の歪曲収差がある場合は、
ｆ＞ｙ／ｔａｎω
となる。つまり、結像系の焦点距離ｆと、像高ｙとを一定とすると、ωの値は大きくなる。
【０１４２】
（デジタルカメラ）
図１４〜図１６は、以上のようなズームレンズを撮影光学系１４１に組み込んだ本発明によるデジタルカメラの構成の概念図を示す。図１４はデジタルカメラ１４０の外観を示す前方斜視図、図１５は同後方正面図、図１６はデジタルカメラ１４０の構成を示す模式的な断面図である。ただし、図１４と図１６においては、撮影光学系１４１の非沈胴時を示している。デジタルカメラ１４０は、この例の場合、撮影用光路１４２を有する撮影光学系１４１、ファインダー用光路１４４を有するファインダー光学系１４３、シャッターボタン１４５、フラッシュ１４６、液晶表示モニター１４７、焦点距離変更ボタン１６１、設定変更スイッチ１６２等を含み、撮影光学系１４１の沈胴時には、カバー１６０をスライドすることにより、撮影光学系１４１とファインダー光学系１４３とフラッシュ１４６はそのカバー１６０で覆われる。そして、カバー１６０を開いてカメラ１４０を撮影状態に設定すると、撮影光学系１４１は図１６の非沈胴状態になり、カメラ１４０の上部に配置されたシャッターボタン１４５を押圧すると、それに連動して撮影光学系１４１、例えば実施例１のズームレンズを通して撮影が行われる。撮影光学系１４１によって形成された物体像が、波長域制限コートを施したローパスフィルタＦとカバーガラスＣを介してＣＣＤ１４９の撮像面上に形成される。このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。また、ＣＣＤ１４９に代わって銀塩フィルムを配置した銀塩カメラとして構成してもよい。
【０１４３】
さらに、ファインダー用光路１４４上にはファインダー用対物光学系１５３が配置してある。ファインダー用対物光学系１５３は、複数のレンズ群（図の場合は３群）と２つのプリズムからなり、撮影光学系１４１のズームレンズに連動して焦点距離が変化するズーム光学系からなり、このファインダー用対物光学系１５３によって形成された物体像は、像正立部材である正立プリズム１５５の視野枠１５７上に形成される。この正立プリズム１５５の後方には、正立正像にされた像を観察者眼球Ｅに導く接眼光学系１５９が配置されている。なお、接眼光学系１５９の射出側にカバー部材１５０が配置されている。
【０１４４】
このように構成されたデジタルカメラ１４０は、撮影光学系１４１が本発明により、沈胴時に厚みを極めて薄く、高変倍で全変倍域で結像性能を極めて安定的であるので、高性能・小型化・広画角化が実現できる。
【０１４５】
（内部回路構成）
図１７は、上記デジタルカメラ１４０の主要部の内部回路の構成ブロック図である。なお、以下の説明では、上記の処理手段は、例えばＣＤＳ／ＡＤＣ部１２４、一時記憶メモリ１１７、画像処理部１１８等からなり、記憶手段は、例えば記憶媒体部１１９等からなる。
【０１４６】
図１７に示すように、デジタルカメラ１４０は、操作部１１２と、この操作部１１２に接続された制御部１１３と、この制御部１１３の制御信号出力ポートにバス１１４及び１１５を介して接続された撮像駆動回路１１６並びに一時記憶メモリ１１７、画像処理部１１８、記憶媒体部１１９、表示部１２０、及び設定情報記憶メモリ部１２１を備えている。
【０１４７】
上記の一時記憶メモリ１１７、画像処理部１１８、記憶媒体部１１９、表示部１２０、及び設定情報記憶メモリ部１２１は、バス１２２を介して相互にデータの入力又は出力が可能なように構成され、また、撮像駆動回路１１６には、ＣＣＤ１４９とＣＤＳ／ＡＤＣ部１２４が接続されている。
【０１４８】
操作部１１２は各種の入力ボタンやスイッチを備え、これらの入力ボタンやスイッチを介して外部（カメラ使用者）から入力されるイベント情報を制御部に通知する回路である。
【０１４９】
制御部１１３は、例えばＣＰＵ等からなる中央演算処理装置であり、不図示のプログラムメモリを内蔵し、そのプログラムメモリに格納されているプログラムにしたがって、操作部１１２を介してカメラ使用者から入力される指示命令を受けてデジタルカメラ１４０全体を制御する回路である。
【０１５０】
ＣＣＤ１４９は、本発明による撮影光学系１４１を介して形成された物体像を受光する。ＣＣＤ１４９は、撮像駆動回路１１６により駆動制御され、その物体像の各画素ごとの光量を電気信号に変換してＣＤＳ／ＡＤＣ部１２４に出力する撮像素子である。
【０１５１】
ＣＤＳ／ＡＤＣ部１２４は、ＣＣＤ１４９から入力する電気信号を増幅しかつアナログ／デジタル変換を行って、この増幅とデジタル変換を行っただけの映像生データ（ベイヤーデータ、以下ＲＡＷデータという。）を一時記憶メモリ１１７に出力する回路である。
【０１５２】
一時記憶メモリ１１７は、例えばＳＤＲＡＭ等からなるバッファであり、ＣＤＳ／ＡＤＣ部１２４から出力される上記ＲＡＷデータを一時的に記憶するメモリ装置である。画像処理部１１８は、一時記憶メモリ１１７に記憶されたＲＡＷデータ又は記憶媒体部１１９に記憶されているＲＡＷデータを読み出して、制御部１１３から指定された画質パラメータに基づいて歪曲収差補正を含む各種画像処理を電気的に行う回路である。
【０１５３】
記録媒体部１１９は、例えばフラッシュメモリ等からなるカード型又はスティック型の記録媒体を着脱自在に装着して、それらカード型又はスティック型のフラッシュメモリに、一時記憶メモリ１１７から転送されるＲＡＷデータや画像処理部１１８で画像処理された画像データを記録して保持する装置の制御回路である。
【０１５４】
表示部１２０は、液晶表示モニターを備え、その液晶表示モニターに画像や操作メニュー等を表示する回路である。設定情報記憶メモリ部１２１には、予め各種の画質パラメータが格納されているＲＯＭ部と、そのＲＯＭ部から読み出された画質パラメータの中から操作部１１２の入力操作によって選択された画質パラメータを記憶するＲＡＭ部が備えられている。設定情報記憶メモリ部１２１は、それらのメモリへの入出力を制御する回路である。
【０１５５】
このように構成されたデジタルカメラ１４０は、撮影光学系１４１が、本発明により、十分な広角域を有し、コンパクトな構成としながら、高変倍で全変倍域で結像性能が極めて安定的であるので、高性能・小型化・広画角化が実現できる。そして、広角側、望遠側での速い合焦動作が可能となる。
【産業上の利用可能性】
【０１５６】
以上のように、本発明にかかるズームレンズは、変倍比や明るさを確保しながら広角端の画角の確保や小型化する場合に有用である。
【図面の簡単な説明】
【０１５７】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の無限遠物点合焦時の広角端（ａ）、中間状態（ｂ）、望遠端（ｃ）でのレンズ断面図である。
【図３】本発明のズームレンズの実施例３の無限遠物点合焦時の広角端（ａ）、中間状態（ｂ）、望遠端（ｃ）でのレンズ断面図である。
【図４】本発明のズームレンズの実施例４の無限遠物点合焦時の広角端（ａ）、中間状態（ｂ）、望遠端（ｃ）でのレンズ断面図である。
【図５】本発明のズームレンズの実施例５の無限遠物点合焦時の広角端（ａ）、中間状態（ｂ）、望遠端（ｃ）でのレンズ断面図である。
【図６】本発明のズームレンズの実施例６の無限遠物点合焦時の広角端（ａ）、中間状態（ｂ）、望遠端（ｃ）でのレンズ断面図である。
【図７】実施例１の無限遠物点合焦時の収差図である。
【図８】実施例２の無限遠物点合焦時の収差図である。
【図９】実施例３の無限遠物点合焦時の収差図である。
【図１０】実施例４の無限遠物点合焦時の収差図である。
【図１１】実施例５の無限遠物点合焦時の収差図である。
【図１２】実施例６の無限遠物点合焦時の収差図である。
【図１３】歪曲収差の補正を説明する図である。
【図１４】本発明による沈胴式のズームレンズを組み込んだデジタルカメラの外観を示す前方斜視図である。
【図１５】上記デジタルカメラの後方斜視図である。
【図１６】上記デジタルカメラの断面図である。
【図１７】デジタルカメラの主要部の内部回路の構成ブロック図である。
【符号の説明】
【０１５８】
Ｇ１…第１レンズ群
Ｇ２…第２レンズ群
Ｇ３…第３レンズ群
Ｇ４…第４レンズ群
Ｓ…明るさ絞り
Ｆ…ローパスフィルタ
Ｃ…カバーガラス
Ｉ…像面
１１２…操作部
１１３…制御部
１１４…バス
１１５…バス
１１６…撮像駆動回路
１１７…一時記憶メモリ
１１８…画像処理部
１１９…記憶媒体部
１２０…表示部
１２１…設定情報記憶メモリ部
１２２…バス
１２４…ＣＤＳ／ＡＤＣ部
１４０…デジタルカメラ
１４１…撮影光学系
１４２…撮影用光路
１４３…ファインダー光学系
１４４…ファインダー用光路
１４５…シャッターボタン
１４６…フラッシュ
１４７…液晶表示モニター
１４９…ＣＣＤ
１５０…カバー部材
１５１…処理手段
１５２…記録手段
１５３…ファインダー用対物光学系
１５５…正立プリズム
１５７…視野枠
１５９…接眼光学系
１６０…カバー
１６１…焦点距離変更ボタン
１６２…設定変更スイッチ
【図１】
2010145695.tif 000003
【図２】
2010145695.tif 000004
【図３】
2010145695.tif 000005
【図４】
2010145695.tif 000006
【図５】
2010145695.tif 000007
【図６】
2010145695.tif 000008
【図７】
2010145695.tif 000009
【図８】
2010145695.tif 000010
【図９】
2010145695.tif 000011
【図１０】
2010145695.tif 000012
【図１１】
2010145695.tif 000013
【図１２】
2010145695.tif 000014
【図１３】
2010145695.tif 000015
【図１４】
2010145695.tif 000016
【図１５】
2010145695.tif 000017
【図１６】
2010145695.tif 000018
【図１７】
2010145695.tif 000019